【事件の表示】
　特願２０１０−２７６６４５「画像処理装置及び画像処理方法」拒絶査定不服審判事件〔平成２４年　７月　５日出願公開、特開２０１２−１２８４７３〕について、次のとおり審決する。
【結　論】
　本件審判の請求は、成り立たない。
【理　由】
１．手続の経緯・本願発明
　本願は、平成２２年１２月１３日を出願日とする出願であって、平成２６年５月２日付けで拒絶理由が通知され、同年７月１日付けで手続補正がなされ、平成２７年１月２８日付けで拒絶査定がなされ、これに対して、同年４月２８日に拒絶査定不服の審判が請求されるとともに、同日付けで手続補正がなされ、平成２８年１月４日付けで当審で拒絶理由が通知され、同年２月１６日付けで手続補正がなされたものである。
　そして、本願の特許請求の範囲の請求項１に係る発明（以下、「本願発明」という。）は、平成２８年２月１６日付け手続補正書の特許請求の範囲の請求項１に記載された、次のとおりのものと認める。
　「【請求項１】
　表示部の表示を制御する表示制御部を有する画像処理装置であって、
　前記表示制御部は、
　装置の動作状況に応じた、２以上の種類のアイコン画像を表示部に表示させる通常モード表示処理と、
　前記通常モード表示処理の動作中に、操作受付部でアイコン説明モードを起動させる操作入力受付があった場合に、表示部で表示中のアイコン画像から特定の１つのアイコン画像を選択するためのアイコン選択画像を表示部に表示させるとともに、
　前記アイコン選択画像の表示中に前記操作受付部での操作入力受付に応じて選択された特定の１つのアイコン画像と、当該特定の１つのアイコン画像にのみ関連する関連アイコン画像と、当該特定の１つのアイコン画像及び前記関連アイコン画像にのみ関連する機能を説明する機能説明画像と、を含む画面を表示部に表示させるアイコン説明表示処理とを行う
　画像処理装置。」
　
２．引用例等
　当審の拒絶の理由に引用された、本願の出願日前に頒布された刊行物である、特開２０１０−９２８７号公報（以下、「引用例１」という。）には、図面とともに以下の記載がある（下線は当審において付与。）。
（１）「【００２４】
（携帯端末１１０）
  図２は、携帯端末１１０のハードウェア構成を示した機能ブロック図であり、図３は、携帯端末１１０の外観を示した斜視図である。
携帯端末１１０は、端末制御部２１０と、
表示部２１４と、操作部２１６と、タッチ検出部２１８と
を含んで構成され
【００２５】
  かかる
携帯端末１１０としては、
デジタルカメラ、
ゲーム機器、ＤＶＤプレイヤー等無線通信可能な様々な電子機器を用いることもでき
【００２６】
  
端末制御部２１０は、
携帯端末１１０全体を管理および制御し
【００２７】
  
表示部２１４は、
タッチ検出部２１８によりタッチ可能な位置にアプリケーションを示す複数のアイコンを配置することもでき、バッテリーの残量表示やピクト（電波受信強度）といったアイコン、電子メールの着信があったことを示すアイコン等所定の状態を示すアイコンも表示することができ
（２）「【００２９】
  図４は、所定の可動操作キーを説明するための説明図である。ここでは、図４（ａ）のような
待ち受け画面の状態で、筐体側面の所定の可動操作キー２３２を押止することで、
表示部２１４上に「Ｉｎｆｏ」で示される履歴参照アイコン２３４が表示され
履歴参照アイコン２３４は、ユーザが所定の可動操作キー２３２を押止している間継続して表示され、現在、案内表示モードであることを表
（３）「【００３２】
  
通常時（通常モード）においては、タッチ検出部２１８がアプリケーションを示すアイコンへのタッチを検出した場合、そのアプリケーションが立ち上がり、タッチすることが想定されていないバッテリーの残量表示やピクトといった所定の状態を示すアイコンへのタッチを検出した場合、何ら動作しない
案内表示モードにおいては、全てのアイコンへのタッチによって、画一的に案内画面が表示され
（４）「【００３７】
  図５は、案内表示モードを説明するための説明図である。ここでは、ユーザによる所定の可動操作キー２３２の押止に応じて図５（ａ）の如く案内表示モードに移行し、図５（ｂ）のような、ピクトのアイコン２３８へのユーザのさらなるタッチに基づいて図５（ｃ）に示したように案内画面２４０が表示される。ここでは、特に案内画面２４０として、アイコン（ピクトのアイコン２３８）の内容を特定する情報が示されている。
【００３８】
  このように、
案内画面２４０として、そのアイコンの内容を特定する情報が統一的に示されることで、ユーザは携帯端末１１０の種類や機能の違いに拘わらず画一的に当該案内操作を実行でき、煩雑な取扱説明書や機能説明を参照しなくても手慣れた手順で容易に所望する情報を視認することが可能となる
（５）「【００４２】
  図７は、案内表示モードの他の例を説明するための説明図である。ここでは、
ユーザによる所定の可動操作キー２３２の押止に応じて
案内表示モードに移行し
アイコン２４２へのユーザのタッチに基づいて
案内画面２４０が表示され
案内画面２４０として、アイコン（電子メール着信ありのアイコン）２４２と同一図柄のアイコン２４４と、そのアイコン２４４の内容を特定する情報（例えば、アイコンの名称や説明文）が示され
（６）図４（ａ）には、
待ち受け画面の状態で、複数のアイコンが同時に表示
　よって、引用例１には、以下の発明（以下、「引用例１記載の発明」という。）が開示されていると認められる。  
「携帯端末１１０は、端末制御部２１０と、表示部２１４と、操作部２１６と、タッチ検出部２１８とを含んで構成され、
　携帯端末１１０としては、デジタルカメラ、ゲーム機器、ＤＶＤプレイヤー等無線通信可能な様々な電子機器を用いることもでき、
　端末制御部２１０は、携帯端末１１０全体を管理および制御し、
　表示部２１４は、タッチ検出部２１８によりタッチ可能な位置にアプリケーションを示す複数のアイコンを配置することもでき、バッテリーの残量表示やピクト（電波受信強度）といったアイコン、電子メールの着信があったことを示すアイコン等所定の状態を示すアイコンも表示することができ、
　複数のアイコンが同時に表示される待ち受け画面の状態で、操作部２１６のうち筐体側面の所定の可動操作キー２３２を押止することで、表示部２１４上に「Ｉｎｆｏ」で示される履歴参照アイコン２３４が表示され、
　履歴参照アイコン２３４は、ユーザが所定の可動操作キー２３２を押止している間継続して表示され、現在、案内表示モードであることを表し、
　通常時（通常モード）においては、タッチ検出部２１８がアプリケーションを示すアイコンへのタッチを検出した場合、そのアプリケーションが立ち上がり、タッチすることが想定されていないバッテリーの残量表示やピクトといった所定の状態を示すアイコンへのタッチを検出した場合、何ら動作せず、
　案内表示モードにおいては、全てのアイコンへのタッチによって、画一的に案内画面が表示されるものであり、
　ユーザによる所定の可動操作キー２３２の押止に応じて案内表示モードに移行し、
　アイコン２４２へのユーザのタッチに基づいて、案内画面２４０が表示され、案内画面２４０として、アイコン２４２と同一図柄のアイコン２４４と、そのアイコン２４４の内容を特定する情報、例えば、アイコンの名称や説明文、が示される
　携帯端末１１０。」
　当審の拒絶の理由に引用された、本願の出願日前に頒布された刊行物である、「Ｊ−Ｔ０１　取扱説明書　基本操作編」，株式会社東京デジタルホン　株式会社関西デジタルホン　株式会社東海デジタルホン，１９９９年３月，第４版　第１刷，第９６頁、第１１７頁（以下、「周知例」という。）には、図面とともに以下の記載がある。
（７）第９６頁には、「着信音量の表示」として、「レベル」の欄には「スッテップダウントーン」、「ステップアップトーン」、「レベル５」等が記載され、「表示」の欄には「レベル」の欄の記載にそれぞれ対応した図柄が表示されている。
　また、第１１７頁には、「電池レベルの表示」として、「レベル」の欄には「十分」、「中位」、「少ない」等が記載され、「表示」の欄には「レベル」の欄の記載にそれぞれ対応した図柄が表示されている。
３．対比
　本願発明と引用例１記載の発明とを対比する。 
（１）引用例１記載の発明の「表示部２１４」は、本願発明の「表示部」に相当する。
　引用例１記載の発明の「端末制御部２１０」は「携帯端末１１０全体を管理および制御」するものであるから、「端末制御部２１０」が「表示部の表示を制御する表示制御部」といい得る構成を有するのは、明らかである。
　また、引用例１記載の発明の「携帯端末１１０」は、「デジタルカメラ、ゲーム機器、ＤＶＤプレイヤー等無線通信可能な様々な電子機器を用いることもできる」ものであるから、本願発明と同様の「画像処理装置」ともいい得るものである。
　よって、引用例１記載の発明の「携帯端末１１０」は、本願発明の「表示部の表示を制御する表示制御部を有する画像処理装置」に相当するといい得るものである。
（２）引用例１記載の発明の「通常時（通常モード）」は、「アプリケーションを示すアイコンへのタッチを検出した場合、そのアプリケーションが立ち上がり、タッチすることが想定されていないバッテリーの残量表示やピクトといった所定の状態を示すアイコンへのタッチを検出した場合、何ら動作せず」、「通常時（通常モード）」の一態様である「待ち受け画面の状態」で「複数のアイコンが同時に表示される」ものであるから、引用例１記載の発明の「通常時（通常モード）」は、本願発明の「装置の動作状況に応じた、２以上の種類のアイコン画像を表示部に表示させる通常モード」に相当する。
　引用例１記載の発明の「端末制御部２１０」の「表示部の表示を制御する表示制御部」といい得る構成が上記「通常モード」の表示の処理を行っていることは明らかであるから、引用例１記載の発明の「端末制御部２１０」が上記「通常モード」の表示の処理を行うことは、本願発明の「前記表示制御部は、」「装置の動作状況に応じた、２以上の種類のアイコン画像を表示部に表示させる通常モード表示処理」を行うことに相当する。
（３）引用例１記載の発明の「待ち受け画面の状態」は「通常時（通常モード）」の一態様であるから、本願発明の「通常モード表示処理の動作中」に相当する。
　引用例１記載の発明の「案内表示モード」は、「『Ｉｎｆｏ』で示される履歴参照アイコン２３４が表示され」、「全てのアイコンへのタッチによって、画一的に案内画面が表示され」、「案内画面」は「アイコン２４２と同一図柄のアイコン２４４と、そのアイコン２４４の内容を特定する情報が示される」モードであるから、引用例１記載の上記「『Ｉｎｆｏ』で示される履歴参照アイコン２３４が表示」された画面（以下、「『案内表示モード』の画面」という。）は本願発明の「アイコン選択画像」に、引用例１記載の発明の上記「案内画面」は本願発明の「アイコン説明表示」にそれぞれ対応し、引用例１記載の発明の「案内表示モード」は本願発明の「アイコン説明モード」といい得るものである。
　そして、引用例１記載の発明は、「ユーザによる所定の可動操作キー２３２の押止に応じて案内表示モードに移行」するものであるから、引用例１記載の発明の「待ち受け画面の状態で、筐体側面の所定の可動操作キー２３２を押止すること」は、本願発明の「前記通常モード表示処理の動作中に、操作受付部でアイコン説明モードを起動させる操作入力受付があった場合」に相当する。
　また、引用例１記載の発明は「案内表示モードにおいては、全てのアイコンへのタッチによって、画一的に案内画面が表示される」ものであるから、引用例１記載の発明の「案内表示モード」の画面は、１つのアイコンを選択可能な画面であることは明らかであり、本願発明の「アイコン説明モード」の「表示部で表示中のアイコン画像から特定の１つのアイコン画像を選択するためのアイコン選択画像」に相当する。
　引用例１記載の発明の「端末制御部２１０」の「表示部の表示を制御する表示制御部」といい得る構成が上記「案内表示モード」の画面の表示の処理を行っていることは明らかであるから、引用例１記載の発明の「端末制御部２１０」が上記「案内表示モード」の画面の表示を行うことは、本願発明の「前記表示制御部は、」「前記通常モード表示処理の動作中に、操作受付部でアイコン説明モードを起動させる操作入力受付があった場合に、表示部で表示中のアイコン画像から特定の１つのアイコン画像を選択するためのアイコン選択画像を表示部に表示させる」処理を行うことに相当する。
（４）引用例１記載の発明は、「案内表示モードにおいては、全てのアイコンへのタッチによって、画一的に案内画面が表示されるものであり、」「ユーザによる所定の可動操作キー２３２の押止に応じて案内表示モードに移行し、」「アイコン２４２へのユーザのタッチに基づいて、案内画面２４０が表示され、案内画面２４０として、アイコン２４２と同一図柄のアイコン２４４と、そのアイコン２４４の内容を特定する情報、例えば、アイコンの名称や説明文、が示される」ものであるから、引用例１記載の発明の「案内画面２４０」は、本願発明の「前記アイコン選択画像の表示中に前記操作受付部での操作入力受付に応じて選択された特定の１つのアイコン画像と、当該特定の１つのアイコン画像にのみ関連する関連アイコン画像と、当該特定の１つのアイコン画像及び前記関連アイコン画像にのみ関連する機能を説明する機能説明画像と、を含む画面」と、「前記アイコン選択画像の表示中に前記操作受付部での操作入力受付に応じて選択された特定の１つのアイコン画像と、当該特定の１つのアイコン画像に関連する機能を説明する機能説明画像と、を含む画面」である点で一致する。
　引用例１の「端末制御部２１０」の「表示部の表示を制御する表示制御部」といい得る構成が上記「案内画面」を表示部に表示させる処理を行っていることは明らかであるから、引用例１の「端末制御部２１０」が上記「案内画面」の表示を行うことは、本願発明の「前記表示制御部は、」「前記アイコン選択画像の表示中に前記操作受付部での操作入力受付に応じて選択された特定の１つのアイコン画像と、当該特定の１つのアイコン画像にのみ関連する関連アイコン画像と、当該特定の１つのアイコン画像及び前記関連アイコン画像にのみ関連する機能を説明する機能説明画像と、を含む画面を表示部に表示させる」処理とを行うことと、「前記表示制御部は、」「前記アイコン選択画像の表示中に前記操作受付部での操作入力受付に応じて選択された特定の１つのアイコン画像と、当該特定の１つのアイコン画像に関連する機能を説明する機能説明画像と、を含む画面を表示部に表示させる」処理とを行う点で一致するといえる。
（５）上記（３）、（４）の対比より、引用例１記載の発明の「端末制御部２１０」が、「ユーザによる所定の可動操作キー２３２の押止に応じて」「案内表示モード」の画面の表示を行い、「案内表示モード」において「ユーザのタッチに基づいて」「案内画面２４０」を表示する処理を行うことは、本願発明の「前記表示制御部は、」「前記通常モード表示処理の動作中に、操作受付部でアイコン説明モードを起動させる操作入力受付があった場合に、表示部で表示中のアイコン画像から特定の１つのアイコン画像を選択するためのアイコン選択画像を表示部に表示させるとともに、」「前記アイコン選択画像の表示中に前記操作受付部での操作入力受付に応じて選択された特定の１つのアイコン画像と、当該特定の１つのアイコン画像にのみ関連する関連アイコン画像と、当該特定の１つのアイコン画像及び前記関連アイコン画像にのみ関連する機能を説明する機能説明画像と、を含む画面を表示部に表示させるアイコン説明表示処理とを行う」ことと、「前記表示制御部は、」「前記通常モード表示処理の動作中に、操作受付部でアイコン説明モードを起動させる操作入力受付があった場合に、表示部で表示中のアイコン画像から特定の１つのアイコン画像を選択するためのアイコン選択画像を表示部に表示させるとともに、」「前記アイコン選択画像の表示中に前記操作受付部での操作入力受付に応じて選択された特定の１つのアイコン画像と、当該特定の１つのアイコン画像に関連する機能を説明する機能説明画像と、を含む画面を表示部に表示させるアイコン説明表示処理とを行う」点で一致するといえる。
　したがって、両者は、
 　「表示部の表示を制御する表示制御部を有する画像処理装置であって、
　前記表示制御部は、
　装置の動作状況に応じた、２以上の種類のアイコン画像を表示部に表示させる通常モード表示処理と、
　前記通常モード表示処理の動作中に、操作受付部でアイコン説明モードを起動させる操作入力受付があった場合に、表示部で表示中のアイコン画像から特定の１つのアイコン画像を選択するためのアイコン選択画像を表示部に表示させるとともに、
　前記アイコン選択画像の表示中に前記操作受付部での操作入力受付に応じて選択された特定の１つのアイコン画像と、当該特定の１つのアイコン画像に関連する機能を説明する機能説明画像と、を含む画面を表示部に表示させるアイコン説明表示処理とを行う
　画像処理装置。」
である点で一致するものであり、次の点で相違する。
〈相違点〉
　本願請求項１にかかる発明は、「アイコン説明表示処理」が「操作受付部での操作入力受付に応じて選択された特定の１つのアイコン画像と、当該特定の１つのアイコン画像にのみ関連する関連アイコン画像と、当該特定の１つのアイコン画像及び前記関連アイコン画像にのみ関連する機能を説明する機能説明画像と、を含む画面」を表示させるものであるのに対して、引用例１記載の発明は、選択されたアイコンと「同一図柄のアイコン２４４と、そのアイコン２４４の内容を特定する情報、例えば、アイコンの名称や説明文、が示される」ものである点。
４．当審の判断
〈相違点についての判断〉
　引用例２の第９６頁に「着信音量の表示」の説明が、変化状態を示す関連する複数の図柄（アイコン画像）と各図柄の機能であるレベルを提示して行われ、第１１７頁に「電池レベルの表示」の説明が、変化状態を示す関連する複数の図柄（アイコン画像）と各図柄の機能であるレベルを提示して行われているように、アイコンの説明を、関連する複数のアイコン画像とそのアイコン画像の機能を提示して行うことは周知のことである。
　引用例１の【００３８】には、「このように、案内画面２４０として、そのアイコンの内容を特定する情報が統一的に示されることで、ユーザは携帯端末１１０の種類や機能の違いに拘わらず画一的に当該案内操作を実行でき、煩雑な取扱説明書や機能説明を参照しなくても手慣れた手順で容易に所望する情報を視認することが可能となる。」と記載され、取扱説明書や機能説明の参照に代えて案内画面を表示することが示されているから、引用例１記載の発明の案内画面の表示内容を取扱説明書や機能説明の内容と同様にすることは、容易に想到し得ることである。
　したがって、引用例１記載の発明に上記周知の事項を適用して、「アイコン説明表示」を「操作受付部での操作入力受付に応じて選択された特定の１つのアイコン画像と、当該特定の１つのアイコン画像にのみ関連する関連アイコン画像と、当該特定の１つのアイコン画像及び前記関連アイコン画像にのみ関連する機能を説明する機能説明画像と、を含む画面」により行う構成とすることは、当業者が容易になし得たことと認められる。
　したがって、本願発明は、引用例１記載の発明及び上記周知の事項に基づいて当業者が容易に発明をすることができたものである。
　さらに、本願発明の効果も、引用例１記載の発明及び上記周知の事項に基づいて、当業者が予測し得る範囲内のものである。 
　
５．むすび
　以上のとおり，本願発明は、引用例１記載の発明及び上記周知の事項に基づいて、当業者が容易に発明をすることができたものであるから、特許法第２９条第２項の規定により特許を受けることができない。
　したがって、本願は、その余の請求項について論及するまでもなく拒絶するべきものである。
　よって、結論のとおり審決する。